【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  導電性支持体及び該導電性支持体上に設けられた感光層を有する電子写真感光体において、
該感光層が、電荷発生層及び電荷輸送層をこの順に又は逆順に積層した構成であり、
該電荷発生層が、電荷発生材料と、連鎖重合性官能基を有する正孔輸送性化合物を重合又は架橋によって硬化させたものとを含む
ことを特徴とする電子写真感光体。
【請求項２】  前記連鎖重合性官能基を有する正孔輸送性化合物が、同一分子内に２つ以上の連鎖重合性官能基を有する正孔輸送性化合物である請求項１に記載の電子写真感光体。
【請求項３】  前記連鎖重合性官能基を有する正孔輸送性化合物が、下記一般式（１）で示される化合物である請求項１又は２に記載の電子写真感光体。
【化１】
2000147815.tif 000001
（式（１）中、Ａは正孔輸送性基を示す。Ｐ１及びＰ２は連鎖重合性官能基を示す。Ｐ１及びＰ２はそれぞれ同一であっても異なっていてもよい。Ｚは置換基を有してもよい有機残基を示す。Ｙは水素原子を示す。ａ、ｂ及びｄは０又は１以上の整数を示す。但し、ａ＝０の場合はｂ＋ｄは３以上の整数であり、ｂ又はｄが０の場合はａは２以上の整数であり、その他の場合はａ＋ｂ＋ｄは３以上の整数である。また、ａが２以上の場合はＰ１は同一であっても異なっていてもよい。ｄが２以上の場合はＰ２は同一であっても異なっていてもよい。ｂが２以上の場合はＺは同一であっても異なっていてもよい。）
【請求項４】  前記一般式（１）中のＡの、Ｐ１との結合部位及びＺとの結合部位をそれぞれ水素原子に置き換えた正孔輸送性化合物が、下記一般式（２）、（３）、（４）、（５）、（６）及び（７）のいずれかで示される化合物、縮合環炭化水素或いは縮合複合環（但し、下記一般式（７）で示される化合物、縮合環炭化水素及び縮合複合環は下記一般式（８）で示される置換基を１つ以上有する。）である請求項３に記載の電子写真感光体。
【化２】
2000147815.tif 000002
（式（２）中、Ｒ１、Ｒ２及びＲ３は置換基を有してもよいアルキル基、置換基を有してもよいアラルキル基又は置換基を有してもよいアリール基を示す。但し、Ｒ１、Ｒ２及びＲ３のうちの少なくとも２つはアリール基を示す。Ｒ１、Ｒ２及びＲ３はそれぞれ同一であっても異なっていてもよい。）
【化３】
2000147815.tif 000003
（式（３）中、Ｒ４、Ｒ５、Ｒ８及びＲ９は置換基を有してもよいアルキル基、置換基を有してもよいアラルキル基又は置換基を有してもよいアリール基を示す。Ｒ６及びＲ７は置換基を有してもよいアルキレン基又は置換基を有してもよいアリーレン基を示す。Ｒ４、Ｒ５、Ｒ８及びＲ９とＲ６及びＲ７はそれぞれ同一であっても異なっていてもよい。Ｑは置換基を有してもよい有機残基を示す。）
【化４】
2000147815.tif 000004
（式（４）中、Ｒ１０、Ｒ１１、Ｒ１２及びＲ１３は置換基を有してもよいアルキル基、置換基を有してもよいアラルキル基又は置換基を有してもよいアリール基を示す。Ｒ１０、Ｒ１１、Ｒ１２及びＲ１３はそれぞれ同一であっても異なっていてもよい。Ａｒ１及びＡｒ２は置換基を有してもよいアリーレン基を示す。Ａｒ１及びＡｒ２はそれぞれ同一であっても異なっていてもよい。ｍは０又は１を示す。）
【化５】
2000147815.tif 000005
（式（５）中、Ａｒ３及びＡｒ４は置換基を有してもよいアリール基を示す。Ａｒ３及びＡｒ４はそれぞれ同一であっても異なっていてもよい。Ｒ１４は置換基を有してもよいアルキル基、置換基を有してもよいアラルキル基又は置換基を有してもよいアリール基を示す。
但し、Ａｒ３、Ａｒ４及びＲ１４のうちの少なくとも１つは下記一般式（６）で示される置換基を１つ以上有する。）
【化６】
2000147815.tif 000006
（式（６）中、Ｒ１５及びＲ１６は置換基を有してもよいアルキル基、置換基を有してもよいアラルキル基、置換基を有してもよいアリール基又は水素原子を示す。Ｒ１５及びＲ１６はそれぞれ同一であっても異なっていてもよい。Ａｒ５は置換基を有してもよいアリール基を示す。ｎ１は０〜２の整数を示す。）
【化７】
2000147815.tif 000007
（式（７）中、Ｒ１７及びＲ１８は置換基を有してもよいアルキル基、置換基を有してもよいアラルキル基又は置換基を有してもよいアリール基を示す。Ｒ１７及びＲ１８はそれぞれ同一であっても異なっていてもよい。Ａｒ６は置換基を有してもよいアリール基を示す。）
【化８】
2000147815.tif 000008
（式（８）中、Ｒ１９及びＲ２０は置換基を有してもよいアルキル基、置換基を有してもよいアラルキル基、置換基を有してもよいアリール基又は水素原子を示す。Ｒ１９及びＲ２０はそれぞれ同一であっても異なっていてもよい。Ａｒ７は置換基を有してもよいアリール基を示す。ｎ２は０〜２の整数を示す。）
【請求項５】  前記一般式（１）中のＺ又は前記一般式（３）中のＱが、置換基を有してもよいアルキレン基、置換基を有してもよいアリーレン基、ＣＲ２１＝ＣＲ２２（Ｒ２１及びＲ２２は置換基を有してもよいアルキル基、置換基を有してもよいアリール基又は水素原子を示す。Ｒ２１及びＲ２２はそれぞれ同一であっても異なっていてもよい。）、Ｃ＝Ｏ、Ｓ＝Ｏ、ＳＯ２、酸素原子又は硫黄原子、或いは、これらを組み合わせた有機残基である請求項３又は４に記載の電子写真感光体。
【請求項６】  上記一般式（１）中のＺ又は一般式（３）中のＱが、下記一般式（９）又は（１０）で示される基である請求項３又は４に記載の電子写真感光体。
【化９】
2000147815.tif 000009
（式（９）中、Ｘ１〜Ｘ３は置換基を有してもよいアルキレン基、（ＣＲ２３＝ＣＲ２４）ｍ１（Ｒ２３及びＲ２４は置換基を有してもよいアルキル基、置換基を有してもよいアリール基又は水素原子を示す。Ｒ２３及びＲ２４はそれぞれ同一であっても異なっていてもよい。ｍ１は１〜５の整数を示す。）、Ｃ＝Ｏ、Ｓ＝Ｏ、ＳＯ２、酸素原子又は硫黄原子を示す。Ａｒ８及びＡｒ９は置換基を有してもよいアリーレン基を示す。ｐ、ｑ、ｒ、ｓ及びｔは０〜１０の整数を示す。但し、ｐ、ｑ、ｒ、ｓ及びｔは同時に０であることはない。）
【化１０】
2000147815.tif 000010
（式（１０）中、Ａｒ１０は置換基を有してもよいアリーレン基を示す。Ｘ４及びＸ５は（ＣＨ２）ｇ（ｇは１〜１０の整数を示す。）、（ＣＨ＝ＣＲ２５）ｈ（Ｒ２５は置換基を有してもよいアルキル基、置換基を有してもよいアリール基又は水素原子を示す。ｈは１〜５の整数を示す。）、Ｃ＝Ｏ又は酸素原子を示す。ｕ、ｖ及びｗは０〜１０の整数を示す。但し、ｕ、ｖ及びｗは同時に０であることはない。）
【請求項７】  前記一般式（２）中のＲ１、Ｒ２及びＲ３が置換基を有してもよいアリール基である請求項４に記載の電子写真感光体。
【請求項８】  前記一般式（３）中のＲ４、Ｒ５、Ｒ８及びＲ９のうちの少なくとも２つが置換基を有してもよいアリール基であり、Ｒ６及びＲ７が置換基を有してもよいアリーレン基である請求項４〜６のいずれかに記載の電子写真感光体。
【請求項９】  前記一般式（３）中のＲ４、Ｒ５、Ｒ８及びＲ９が置換基を有してもよいアリール基であり、Ｒ６及びＲ７が置換基を有してもよいアリーレン基である請求項４〜６のいずれかに記載の電子写真感光体。
【請求項１０】  前記一般式（４）中のＲ１０及びＲ１１が置換基を有してもよいアリール基である請求項４に記載の電子写真感光体。
【請求項１１】  前記一般式（４）中のＲ１０〜Ｒ１３が置換基を有してもよいアリール基である請求項４に記載の電子写真感光体。
【請求項１２】  前記一般式（５）中のＲ１４が置換基を有してもよいアリール基である請求項４に記載の電子写真感光体。
【請求項１３】  前記一般式（６）中のＲ１６が置換基を有してもよいアリール基である請求項４に記載の電子写真感光体。
【請求項１４】  前記一般式（７）中のＲ１７及びＲ１８が置換基を有してもよいアリール基である請求項４に記載の電子写真感光体。
【請求項１５】  前記一般式（８）中のＲ２０が置換基を有してもよいアリール基である請求項４に記載の電子写真感光体。
【請求項１６】  前記連鎖重合性官能基Ｐ１及びＰ２の一方又は両方が下記一般式（１１）で示される不飽和重合性官能基である請求項３〜１５のいずれかに記載の電子写真感光体。
【化１１】
2000147815.tif 000011
（式（１１）中、Ｅは水素原子、ハロゲン原子、置換基を有してもよいアルキル基、置換基を有してもよいアリール基、シアノ基、ニトロ基、アルコキシ基、−ＣＯＯＲ２６（Ｒ２６は水素原子、ハロゲン原子、置換基を有してもよいアルキル基、置換基を有してもよいアラルキル基又は置換基を有してもよいアリール基を示す。）又は−ＣＯＮＲ２７Ｒ２８（Ｒ２７及びＲ２８は水素原子、ハロゲン原子、置換基を有してもよいアルキル基、置換基を有してもよいアラルキル基又は置換基を有してもよいアリール基を示す。Ｒ２７及びＲ２８は互いに同一であっても異なっていてもよい。）を示す。Ｗは置換基を有してもよいアリーレン基、置換基を有してもよいアルキレン基、−ＣＯＯ−、−Ｏ−、−ＯＯ−、−Ｓ−又は−ＣＯＮＲ２９−（Ｒ２９は水素原子、ハロゲン原子、置換基を有してもよいアルキル基、置換基を有してもよいアラルキル基又は置換基を有してもよいアリール基を示す。）を示す。ｆは０又は１を示す。）
【請求項１７】  前記連鎖重合性官能基Ｐ１及びＰ２の一方又は両方が下記一般式（１２）で示される環状エーテル基である請求項３〜１６のいずれかに記載の電子写真感光体。
【化１２】
2000147815.tif 000012
（式（１２）中、Ｒ３０及びＲ３１は水素原子、置換基を有してもよいアルキル基、置換基を有してもよいアラルキル基又は置換基を有してもよいアリール基を示す。ｎは１〜１０の整数を示す。）
【請求項１８】  前記連鎖重合性官能基Ｐ１及びＰ２の一方又は両方が下記一般式（１３）で示される脂環式エポキシ基である請求項３〜１７のいずれかに記載の電子写真感光体。
【化１３】
2000147815.tif 000013
（式（１３）中、Ｒ３２及びＲ３３は水素原子、置換基を有してもよいアルキル基、置換基を有してもよいアラルキル基又は置換基を有してもよいアリール基を示す。ｎは０〜１０の整数を示す。）
【請求項１９】  前記連鎖重合性官能基Ｐ１及びＰ２の一方又は両方が下記一般式（１４）、（１５）、（１６）、（１７）、（１８）、（１９）及び（２０）のいずれかで示される基である請求項３〜１８のいずれかに記載の電子写真感光体。
【化１４】
2000147815.tif 000014
【化１５】
2000147815.tif 000015
【請求項２０】  前記連鎖重合性官能基を有する正孔輸送性化合物が同一分子内に２つ以上の連鎖重合性官能基を有する正孔輸送性化合物であって、その酸化電位が０．４〜１．２（Ｖ）である請求項１〜１９のいずれかに記載の電子写真感光体。
【請求項２１】  前記重合又は架橋が放射線によるものである請求項１〜２０のいずれかに記載の電子写真感光体。
【請求項２２】  前記放射線が電子線であり、該電子線の加速電圧が２５０ｋＶ以下である請求項２１に記載の電子写真感光体。
【請求項２３】  前記電子線の照射線量が１〜１００Ｍｒａｄである請求項２１又は２２に記載の電子写真感光体。
【請求項２４】  請求項１〜２３のいずれかに記載の電子写真感光体と、該電子写真感光体を帯電させる帯電手段、該電子写真感光体上に形成された静電潜像をトナーで現像する現像手段、及び、転写工程後の該電子写真感光体上に残余するトナーを回収するクリーニング手段からなる群より選ばれる少なくとも１つの手段とを一体に支持し、電子写真装置本体に着脱自在であることを特徴とするプロセスカートリッジ。
【請求項２５】  請求項１〜２３のいずれかに記載の電子写真感光体、該電子写真感光体を帯電させる帯電手段、帯電した該電子写真感光体に対して像露光を行い該電子写真感光体上に静電潜像を形成する像露光手段、該電子写真感光体上に形成された静電潜像をトナーで現像する現像手段、及び、該電子写真感光体上のトナー像を転写材上に転写する転写手段を有することを特徴とする電子写真装置。
【手続補正２】
【補正対象書類名】明細書
【補正対象項目名】００１１
【補正方法】変更
【補正の内容】
【００１１】
【課題を解決するための手段】
本発明に従って、導電性支持体及び該導電性支持体上に設けられた感光層を有する電子写真感光体において、
該感光層が、電荷発生層及び電荷輸送層をこの順に又は逆順に積層した構成であり、
該電荷発生層が、電荷発生材料と、連鎖重合性官能基を有する正孔輸送性化合物を重合又は架橋によって硬化させたものとを含む
ことを特徴とする電子写真感光体、該電子写真感光体を有するプロセスカートリッジ及び電子写真装置が提供される。
【手続補正３】
【補正対象書類名】明細書
【補正対象項目名】００３１
【補正方法】変更
【補正の内容】
【００３１】
上記で説明したような本発明に係わる連鎖重合性官能基の中でも、下記の一般式（１１）、（１２）及び（１３）で示されるものが好ましい。
【手続補正４】
【補正対象書類名】明細書
【補正対象項目名】００３３
【補正方法】変更
【補正の内容】
【００３３】
式（１１）中、Ｅは水素原子、フッ素、塩素、臭素等のハロゲン原子、置換基を有してもよいメチル基、エチル基、プロピル基、ブチル基等のアルキル基、置換基を有してもよいベンジル基、フェネチル基、ナフチルメチル基、フルフリル基、チエニル基等のアラルキル基、置換基を有してもよいフェニル基、ナフチル基、アンスリル基、ピレニル基、チオフェニル基、フリル基等のアリール基、ＣＮ基、ニトロ基、メトキシ基、エトキシ基、プロポキシ基等のアルコキシ基、−ＣＯＯＲ２６又は−ＣＯＮＲ２７Ｒ２８を示す。
【手続補正５】
【補正対象書類名】明細書
【補正対象項目名】００３４
【補正方法】変更
【補正の内容】
【００３４】
Ｗは置換基を有してもよいフェニレン基、ナフチレン基、アントラセニレン基等のアリーレン基、置換基を有してもよいメチレン基、エチレン基、ブチレン基等のアルキレン基、−ＣＯＯ−、−Ｏ−、−ＯＯ−、−Ｓ−又は−ＣＯＮＲ２９を示す。
【手続補正６】
【補正対象書類名】明細書
【補正対象項目名】００３５
【補正方法】変更
【補正の内容】
【００３５】
ここでＲ２６、Ｒ２７、Ｒ２８及びＲ２９は水素原子、フッ素、塩素、臭素等のハロゲン原子、置換基を有してもよいメチル基、エチル基、プロピル基等のアルキル基、置換基を有してもよいベンジル基、フェネチル基等のアラルキル基及び置換基を有してもよいフェニル基、ナフチル基、アンスリル基等のアリール基を示す。Ｒ２８とＲ２９は互いに同一であっても異なっていてもよい。また、ｆは０又は１を示す。
【手続補正７】
【補正対象書類名】明細書
【補正対象項目名】００３８
【補正方法】変更
【補正の内容】
【００３８】
式（１２）中、Ｒ３０及びＲ３１は水素原子、置換基を有してもよいメチル基、エチル基、プロピル基、ブチル基等のアルキル基、置換基を有してもよいベンジル基、フェネチル基等のアラルキル基又は置換基を有してもよいフェニル基、ナフチル基等のアリール基を示す。ｎは１〜１０の整数を示す。
【手続補正８】
【補正対象書類名】明細書
【補正対象項目名】００４０
【補正方法】変更
【補正の内容】
【００４０】
式（１３）中、Ｒ３２及びＲ３３は水素原子、置換基を有してもよいメチル基、エチル基、プロピル基、ブチル基等のアルキル基、置換基を有してもよいベンジル基、フェネチル基等のアラルキル基又は置換基を有してもよいフェニル基、ナフチル基等のアリール基を示す。ｎは０又は１〜１０の整数を示す。
【手続補正９】
【補正対象書類名】明細書
【補正対象項目名】００４１
【補正方法】変更
【補正の内容】
【００４１】
なお、上記一般式（１２）及び一般式（１３）のＲ３０、Ｒ３１、Ｒ３２及びＲ３３が有してもよい置換基としては、フッ素、塩素、臭素、ヨウ素等のハロゲン原子又はメチル基、エチル基、プロピル基、ブチル基等のアルキル基又はメトキシ基、エトキシ基、プロポキシ基等のアルコキシ基又はフェノキシ基、ナフトキシ基等のアリールオキシ基又はベンジル基、フェネチル基、ナフチルメチル基、フルフリル基、チエニル基等のアラルキル基又はフェニル基、ナフチル基、アンスリル基、ピレニル基等のアリール基等が挙げられる。
【手続補正１０】
【補正対象書類名】明細書
【補正対象項目名】００４２
【補正方法】変更
【補正の内容】
【００４２】
また、上記一般式（１１）、（１２）及び（１３）の中でも、更に特に好ましい連鎖重合性官能基としては、下記一般式（１４）、（１５）、（１６）、（１７）、（１８）、（１９）及び（２０）で示される基が挙げられる。
【手続補正１１】
【補正対象書類名】明細書
【補正対象項目名】００４７
【補正方法】変更
【補正の内容】
【００４７】
式（１）中、Ｐ１及びＰ２は連鎖重合性官能基を示す。Ｐ１とＰ２はそれぞれ同一であっても異なっていてもよい。Ｚは置換基を有してもよい有機残基を示す。Ｙは水素原子を示す。ａ、ｂ及びｄは、０又は１以上の整数を示す。但し、ａ＝０の場合はｂ＋ｄは３以上の整数であり、ｂ又はｄが０の場合はａは２以上の整数であり、その他の場合はａ＋ｂ＋ｄは３以上の整数である。また、ａが２以上の場合はＰ１は同一であっても異なっていてもよい。ｄが２以上の場合はＰ２は同一であっても異なっていてもよい。またｂが２以上の場合はＺは同一であっても異なっていてもよい。
【手続補正１２】
【補正対象書類名】明細書
【補正対象項目名】００５２
【補正方法】変更
【補正の内容】
【００５２】
式（２）中、Ｒ１、Ｒ２及びＲ３は置換基を有してもよいメチル基、エチル基、プロピル基、ブチル基等の炭素数１以上１０以下のアルキル基、置換基を有してもよいベンジル基、フェネチル基、ナフチルメチル基、フルフリル基、チエニル基等のアラルキル基又は置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。
【手続補正１３】
【補正対象書類名】明細書
【補正対象項目名】００５３
【補正方法】変更
【補正の内容】
【００５３】
但し、Ｒ１、Ｒ２及びＲ３のうち少なくとも２つはアリール基を示し、Ｒ１、Ｒ２及びＲ３はそれぞれ同一であっても異なっていてもよい。更に、その中でもＲ１、Ｒ２及びＲ３のすべてがアリール基であるものが特に好ましい。また、上記一般式（２）のＲ１又はＲ２又はＲ３のうち任意の２つはそれぞれ直接もしくは結合基を介して結合してもよい。その結合基としては、メチレン基、エチレン基、プロピレン基等のアルキレン基、酸素、硫黄原子等のヘテロ原子、ＣＨ＝ＣＨ基等が挙げられる。
【手続補正１４】
【補正対象書類名】明細書
【補正対象項目名】００５５
【補正方法】変更
【補正の内容】
【００５５】
式（３）中、Ｒ４、Ｒ５、Ｒ８及びＲ９は置換基を有してもよいメチル基、エチル基、プロピル基、ブチル基等の炭素数１以上１０以下のアルキル基、置換基を有してもよいベンジル基、フェネチル基、ナフチルメチル基、フルフリル基、チエニル基等のアラルキル基又は置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ４、Ｒ５、Ｒ８及びＲ９はそれぞれ同一であっても異なっていてもよい。Ｒ６及びＲ７は置換基を有してもよいメチレン基、エチレン基、プロピレン基等の炭素数１以上１０以下のアルキレン基、又は置換基を有してもよいアリーレン基（ベンゼン、ナフタレン、アントラセン、フェナンスレン、ピレン、ベンゾチオフェン、ピリジン、キノリン、ベンゾキノリン、カルバゾール、フェノチアジン、ベンゾフラン、ベンゾチオフェン、ジベンゾフラン、ジベンゾチオフェン等より２個の水素を取り除いたアリーレン基。）を示す。Ｒ６とＲ７はそれぞれ同一であっても異なっていてもよい。Ｑは置換基を有してもよい有機残基を示す。
【手続補正１５】
【補正対象書類名】明細書
【補正対象項目名】００５６
【補正方法】変更
【補正の内容】
【００５６】
更に、その中でも上記一般式（３）中のＲ４、Ｒ５、Ｒ８及びＲ９のうち２つ以上が置換基を有してもよいアリール基であり、Ｒ６及びＲ７が置換基を有してもよいアリーレン基である場合が好ましく、更にＲ４、Ｒ５、Ｒ８及びＲ９が４つとも全て置換基を有してもよいアリール基である場合が特に好ましい。また、上記一般式（３）のＲ４又はＲ５又はＲ６のうち任意の２つあるいはＲ７又はＲ８又はＲ９のうち任意の２つはそれぞれ直接もしくは結合基を介して結合してもよい。その結合基としては、メチレン基、エチレン基、プロピレン基等のアルキレン基、酸素、硫黄原子等のヘテロ原子、ＣＨ＝ＣＨ基等が挙げられる。
【手続補正１６】
【補正対象書類名】明細書
【補正対象項目名】００５８
【補正方法】変更
【補正の内容】
【００５８】
式（４）中、Ｒ１０、Ｒ１１、Ｒ１２及びＲ１３は置換基を有してもよいメチル基、エチル基、プロピル基、ブチル基等の炭素数１以上１０以下のアルキル基、置換基を有してもよいベンジル基、フェネチル基、ナフチルメチル基、フルフリル基、チエニル基等のアラルキル基又は置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ１０、Ｒ１１、Ｒ１２及びＲ１３はそれぞれ同一であっても異なっていてもよい。
【手続補正１７】
【補正対象書類名】明細書
【補正対象項目名】００５９
【補正方法】変更
【補正の内容】
【００５９】
Ａｒ１は置換基を有してもよいアリーレン基（ベンゼン、ナフタレン、アントラセン、フェナンスレン、ピレン、ベンゾチオフェン、ピリジン、キノリン、ベンゾキノリン、カルバゾール、フェノチアジン、ベンゾフラン、ベンゾチオフェン、ジベンゾフラン、ジベンゾチオフェン等より２個の水素を取り除いたアリーレン基。）を示す。ｍは０又は１を示す。Ａｒ２はｍ＝０の場合、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。ｍ＝１の場合は上記Ａｒ１と同様なアリーレン基を示す。尚、ｍ＝１の場合は、Ａｒ１とＡｒ２はそれぞれ同一であっても異なっていてもよい。
【手続補正１８】
【補正対象書類名】明細書
【補正対象項目名】００６０
【補正方法】変更
【補正の内容】
【００６０】
更に、その中でも上記一般式（４）中のＲ１０及びＲ１１が置換基を有してもよいアリール基である場合が好ましく、Ｒ１０、Ｒ１１、Ｒ１２及びＲ１３が４つとも全て置換基を有してもよいアリール基である場合が特に好ましい。また、上記一般式（４）のＲ１０とＲ１１又はＲ１２とＲ１３又はＡｒ１とＡｒ２は、それぞれ直接もしくは結合基を介して結合してもよい。その結合基としては、メチレン基、エチレン基、プロピレン基等のアルキレン基、酸素、硫黄原子等のヘテロ原子、ＣＨ＝ＣＨ基等が挙げられる。
【手続補正１９】
【補正対象書類名】明細書
【補正対象項目名】００６２
【補正方法】変更
【補正の内容】
【００６２】
式（５）中、Ａｒ３、Ａｒ４及びＲ１４のうち少なくとも１つは、下記一般式（６）で示される置換基を１つ以上有する。
【手続補正２０】
【補正対象書類名】明細書
【補正対象項目名】００６４
【補正方法】変更
【補正の内容】
【００６４】
上記一般式（５）及び（６）中、Ａｒ３、Ａｒ４及びＡｒ５は、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ１４、Ｒ１５及びＲ１６は置換基を有してもよいメチル基、エチル基、プロピル基、ブチル基等の炭素数１以上１０以下のアルキル基、置換基を有してもよいベンジル基、フェネチル基、ナフチルメチル基、フルフリル基、チエニル基等のアラルキル基、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基又は水素原子を示す（但しＲ１４が水素原子である場合は除く。）。なお、Ａｒ３及びＡｒ４とＲ１５及びＲ１６はそれぞれ同一であっても異なっていてもよい。
【手続補正２１】
【補正対象書類名】明細書
【補正対象項目名】００６５
【補正方法】変更
【補正の内容】
【００６５】
更に、その中でもＲ１４及びＲ１６がアリール基である場合が特に好ましい。また、Ｒ１４又はＡｒ３又はＡｒ４のうち任意の２つ、又はＡｒ５及びＲ１６はそれぞれ直接もしくは結合基を介して結合してもよい。その結合基としては、メチレン基、エチレン基、プロピレン基等のアルキレン基、酸素、硫黄原子等のヘテロ原子、ＣＨ＝ＣＨ基等が挙げられる。ｎ１は０〜２の整数を示す。
【手続補正２２】
【補正対象書類名】明細書
【補正対象項目名】００６７
【補正方法】変更
【補正の内容】
【００６７】
但し、上記一般式（７）、縮合環炭化水素及び縮合複合環は、下記一般式（８）で示される置換基を１つ以上有する。
【手続補正２３】
【補正対象書類名】明細書
【補正対象項目名】００６９
【補正方法】変更
【補正の内容】
【００６９】
上記一般式（７）及び（８）中、Ａｒ６及びＡｒ７は置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基を示す。Ｒ１７、Ｒ１８、Ｒ１９及びＲ２０は置換基を有してもよいメチル基、エチル基、プロピル基、ブチル基等の炭素数１以上１０以下のアルキル基、置換基を有してもよいベンジル基、フェネチル基、ナフチルメチル基、フルフリル基、チエニル基等のアラルキル基、置換基を有してもよいフェニル基、ナフチル基、アンスリル基、フェナンスリル基、ピレニル基、チオフェニル基、フリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等のアリール基又は水素原子を示す（但し、Ｒ１７及びＲ１８が水素原子である場合は除く。）。なお、Ｒ１７とＲ１８及びＲ１９とＲ２０はそれぞれ同一であっても異なっていてもよい。
【手続補正２４】
【補正対象書類名】明細書
【補正対象項目名】００７０
【補正方法】変更
【補正の内容】
【００７０】
その中でも、Ｒ２０がアリール基である場合が好ましく、更に正孔輸送性基が一般式（７）で、かつＲ１７とＲ１８がアリール基である場合が特に好ましい。また、Ｒ１７又はＲ１８又はＡｒ６のうち任意の２つ、又はＡｒ７及びＲ２０はそれぞれ直接もしくは結合基を介して結合してもよい。その結合基としては、メチレン基、エチレン基、プロピレン基等のアルキレン基、酸素、硫黄原子等のヘテロ原子、ＣＨ＝ＣＨ基等が挙げられる。ｎ２は０〜２の整数を示す。
【手続補正２５】
【補正対象書類名】明細書
【補正対象項目名】００７１
【補正方法】変更
【補正の内容】
【００７１】
また、上記一般式（１）中のＺ又は上記一般式（３）中のＱは、置換基を有してもよいアルキレン基、置換基を有してもよいアリーレン基、ＣＲ２１＝ＣＲ２２（Ｒ２１及びＲ２２はアルキル基、アリール基又は水素原子を示す。Ｒ２１及びＲ２２はそれぞれ同一であっても異なっていてもよい。）、Ｃ＝Ｏ、Ｓ＝Ｏ、ＳＯ２、酸素原子又は硫黄原子、或いは、これらの組み合わせた有機残基を示す。その中でも下記一般式（９）で示されるものが好ましく、下記一般式（１０）で示されるものが特に好ましい。
【手続補正２６】
【補正対象書類名】明細書
【補正対象項目名】００７４
【補正方法】変更
【補正の内容】
【００７４】
上記一般式（９）中、Ｘ１、Ｘ２及びＸ３は置換基を有してもよいメチレン基、エチレン基、プロピレン基等の炭素数１以上２０以下のアルキレン、（ＣＲ２３＝ＣＲ２４）ｍ１（Ｒ２３及びＲ２４は置換基を有してもよいアルキル基、置換基を有してもよいアリール基又は水素原子を示す。Ｒ２３及びＲ２４はそれぞれ同一であっても異なっていてもよい。ｍ１は１〜５の整数を示す。）、Ｃ＝Ｏ、Ｓ＝Ｏ、ＳＯ２、酸素原子又は硫黄原子を示す。Ａｒ８及びＡｒ９は置換基を有してもよいアリーレン基（ベンゼン、ナフタレン、アントラセン、フェナンスレン、ピレン、ベンゾチオフェン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いたアリーレン基。）を示す。ｐ、ｑ、ｒ、ｓ及びｔは０〜１０の整数を示す。但し、ｐ、ｑ、ｒ、ｓ及びｔは同時に０であることはない。
【手続補正２７】
【補正対象書類名】明細書
【補正対象項目名】００７５
【補正方法】変更
【補正の内容】
【００７５】
上記一般式（１０）中、Ｘ４及びＸ５は（ＣＨ２）ｇ（ｇは１〜１０の整数を示す。）、（ＣＨ＝ＣＲ２５）ｈ（Ｒ２５は置換基を有してもよいアルキル基、置換基を有してもよいアリール基又は水素原子を示す。ｈは１〜５の整数を示す。）、Ｃ＝Ｏ、又は酸素原子を示す。Ａｒ１０は置換基を有してもよいアリーレン基（ベンゼン、ナフタレン、アントラセン、フェナンスレン、ピレン、ベンゾチオフェン、ピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いたアリーレン基。）を示す。ｕ、ｖ及びｗは０〜１０の整数を示す。特に、０〜５の整数の時が好ましい。但し、ｕ、ｖ及びｗは同時に０であることはない。
【手続補正２８】
【補正対象書類名】明細書
【補正対象項目名】０２００
【補正方法】変更
【補正の内容】
【０２００】
電子線照射をする場合の加速器としては、スキャニング型、エレクトロカーテン型、ブロードビーム型、パルス型及びラミナー型等いずれの形式も使用することができる。電子線を照射する場合に、本発明の感光体においては電気特性及び耐久性能を発現させる上で照射条件が非常に重要である。本発明において、加速電圧は２５０ｋＶ以下が好ましく、最適には１５０ｋＶ以下である。また、照射線量は、好ましくは１Ｍｒａｄから１００Ｍｒａｄの範囲、より好ましくは３Ｍｒａｄから５０Ｍｒａｄの範囲である。加速電圧が上記を超えると感光体特性に対する電子線照射のダメージが増加する傾向にある。また、照射線量が上記範囲よりも少ない場合には架橋が不十分となりやすく、線量が多い場合には感光体特性の劣化が起こりやすいので注意が必要である。
【手続補正２９】
【補正対象書類名】明細書
【補正対象項目名】０２２１
【補正方法】変更
【補正の内容】
【０２２１】
この塗料を前記の電荷発生層上にコーティングし、５０℃にて１０分間乾燥させた後に、加速電圧１５０ｋＶ、照射線量３０Ｍｒａｄの条件で電子線を照射し電荷発生層内の樹脂を硬化させ、更に１２０℃にて３０分間乾燥させて膜厚が１５μｍの電荷輸送層を形成し、電子写真感光体を得た。
【手続補正３０】
【補正対象書類名】明細書
【補正対象項目名】０２２５
【補正方法】変更
【補正の内容】
【０２２５】
（実施例６）
実施例１と同様にして支持体、導電層、下引き層を形成した。次に、ＣｕＫα特性Ｘ線回折のブラッグ角（２θ±０．２°）の９．０°、１４．２°、２３．９°及び２７．１°に強いピークを有するオキシチタニウムフタロシアニンを３部、ポリビニルブチラール（商品名：エスレックＢＭ２、積水化学（株））樹脂１部、化合物例Ｎｏ．３５８を５部及びシクロヘキサノン３５部をφ１ｍｍガラスビーズを用いたサンドミル装置で２時間分散して、その後に酢酸エチル６０部を加えて電荷発生層用塗料を調製した。この塗料を前記の中間層の上に浸漬塗布法で塗布して、５０℃で１０分間乾燥し後、加速電圧１７０ｋＶ、照射線量１０Ｍｒａｄの条件で電子線を照射し電荷発生層内の樹脂を硬化させ、膜厚が０．２μｍの電荷発生層を形成した。
【手続補正３１】
【補正対象書類名】明細書
【補正対象項目名】０２３０
【補正方法】変更
【補正の内容】
【０２３０】
（実施例１６〜２０）
実施例６において電子線の照射条件を表５に示した様に代えた以外は、実施例６と同様に電子写真感光体を作成し、評価した。その結果は、繰り返し使用時の安定性は良好であったが、加速電圧３００ｋＶ及び照射線量１５０、２００Ｍｒａｄの条件では初期の電子写真特性において、感度の低下や残留電位の上昇が見られた。その結果を表３に示す。
【手続補正３２】
【補正対象書類名】明細書
【補正対象項目名】０２３１
【補正方法】変更
【補正の内容】
【０２３１】
（実施例２１）
実施例６において電荷発生層を塗布した後に電子線を照射することなく、５０℃にて１０分間の乾燥のみ行った。次に、化合物例Ｎｏ．３５８の正孔輸送性化合物６０部をモノクロロベンゼン３０部／ジクロロメタン３０部の混合溶媒中に溶解し、電荷輸送層用塗料を調製した。この塗料を前記の電荷発生層上にコーティングし、５０℃にて１０分間の乾燥させた後に、加速電圧１５０ｋＶ、照射線量２０Ｍｒａｄの条件で電子線を照射し、電荷発生層及び電荷輸送層中の樹脂を硬化させ、膜厚が１５μｍの電荷輸送層を形成し、電子写真感光体を得た。
【手続補正３３】
【補正対象書類名】明細書
【補正対象項目名】０２４１
【補正方法】変更
【補正の内容】
【０２４１】
【表５】
2000147815.tif 000016